(57)【要約】  固定式の商品陳列什器の一部の固定棚を可動式として用いたいという要求に応えることができる引出式の補助陳列台を得ることを目的とする。  その解決手段は、固定棚に載置する基板部と、この基板部に前後方向にスライド可能に支持した引出棚とを備え、基板部には、該基板部を固定棚に固定するためのマグネットを設けることである。
2011007724.tif 000002
【特許請求の範囲】
【請求項１】
商品陳列什器の固定棚に載置する基板部と、この基板部に前後方向にスライド可能に支持した引出棚とを備え、基板部には、該基板部を上記固定棚に固定するためのマグネットを設けたことを特徴とする商品陳列什器の引出式補助陳列棚。
【請求項２】
請求の範囲第１項記載の商品陳列什器の引出式補助陳列棚において、上記マグネットはシート状マグネットである商品陳列什器の引出式補助陳列棚。
【請求項３】
請求の範囲第１項または第２項記載の商品陳列什器の引出式補助陳列棚において、基板部は、底板と左右の立壁と奥部の立壁とを備え、引出棚は、基板部の底板の上に位置する底板と、基板部の左右立壁の内側に位置する左右の立壁と、前後の立壁とを備え、基板部の左右立壁と引出棚の左右立壁にそれぞれ、互いに摺動自在に係合する前後方向のスライドレールが設けられている商品陳列什器の引出式補助陳列棚。
【発明の詳細な説明】
【技術分野】
【０００１】
本発明は、商品陳列什器（商品陳列棚）の引出式補助陳列台に関し、特に既設（既存）の商品陳列什器に付加的に設置できる引出式補助陳列台に関する。
【背景技術】
【０００２】
例えばスーパーやコンビニ店で陳列デバイスとして使用されている商品陳列什器は、棚板が移動しない固定式と前後に移動する可動式（引出式）に大別される。可動式陳列棚はさらに、最下段の固定棚を、キャスターを有する自由走行棚に置き換えたタイプと、左右のレールに前後方向に移動可能に可動棚を支持したスライドタイプに大別される。前者は、最下段のみが可動であるのに対し、後者は棚板の位置に拘わらず採用可能である。勿論、理論上は、両者を組み合わせることもできる。移動式にはさらに棚板を回転可能としたものも知られている（特許文献１）。
【先行技術文献】
【特許文献】
【０００３】
【特許文献１】特開２００４−８１２９４号公報
【発明の概要】
【発明が解決しようとする課題】
【０００４】
しかし、いずれのタイプの可動棚も、什器自体を特別仕様（可動棚仕様）としなければならないという根元的な問題があり、固定棚と可動棚を選択使用することはシステム上不可能である。一方、固定式商品陳列什器を設置した既存店においても、商品の補充を容易にする可動棚を用いたいという要求がある。特に、特定の高さの棚（特に最下段の棚）を、期間を限定したキャンペーン用に可動式として用いたいという隠れた要求があることが分かった。従来の可動式商品陳列什器では、このような要求に応えることができない。【０００５】
本発明は、固定式の商品陳列什器の一部の固定棚を可動式として用いたいという要求に応えることができる引出式の補助陳列台を得ることを目的とする。
【課題を解決するための手段】
【０００６】
本発明による引出式補助陳列台は、固定棚に載置する基板部と、この基板部に前後方向にスライド可能に支持した引出棚とを備え、基板部には、該基板部を固定棚に固定するためのマグネットを設けたことを特徴としている。固定式商品陳列什器の棚板は、例外なく鉄板（磁性板）からなっており、マグネットによって固定状態とすることができる。【０００７】
マグネットは、シート状マグネットを用いることが実際的である。【０００８】
基板部は、具体的には、底板と左右の立壁と奥部の立壁とを備え、引出棚は、基板部の底板の上に位置する底板と、基板部の左右立壁の内側に位置する左右の立壁と、前後の立壁とを備えるのが好ましい。そして、基板部の左右立壁と引出棚の左右立壁にそれぞれ、互いに摺動自在に係合する前後方向のスライドレールを設けると、低背の引出式補助陳列台を得ることができる。
【発明の効果】
【０００９】
本発明の商品陳列什器の引出式補助陳列台は、単に固定棚上に載置すれば、マグネットにより基板部が固定棚に固定され、この基板部にスライド可能に支持された引出棚を引き出すことにより、該引出棚上に商品を載置陳列することができる。既存の固定式商品陳列什器に、付加的に（任意に）使用することができるので、任意の商品を任意の期間だけ任意の高さ位置の固定棚に陳列することができる。特定の商品のキャンペーン中に使用するのは利用例の一つである。商品陳列棚什器全体を交換する必要がないので、安価である。
【図面の簡単な説明】
【００１０】
【図１】本発明による商品陳列什器の引出式補助陳列台の一実施形態を示す使用状態の斜視図である。
【図２】同引出式補助陳列台の分解状態の斜視図である。
【図３】（Ａ）、（Ｂ）は、固定棚上に載置した同引出式補助陳列台の収納状態と引出状態を示す側面図である。
【図４】図１のIV-IV線に沿う断面図である。
【発明を実施するための形態】
【００１１】
図１ないし図４は、本発明による商品陳列什器の引出式補助陳列台１００の一実施形態を示している。引出式補助陳列棚１００は、全体として平面矩形をなす基板部１０と、引出棚２０とを備えている。基板部１０は、底板１１と、この底板１１の左右の短辺から立ち上げた左右立壁１２と、奥部の長辺から立ち上げた奥部立壁１３とを有している。以下、左右立壁１２の延長方向を前後方向とし、奥部立壁１３の延長方向を左右方向とする。底板１１は、前部中央に切欠１４を有し、後部下面には、ゴムマグネット（シート状マグネット）１５が設けられている。左右立壁１２の上端部には、内方への直角曲折縁１２ａが形成されている。底板１１の前側の長辺には、立壁が存在しない。つまり、底板１１の前方は開放されている。
【００１２】
引出棚２０は、基板部１０の底板１１上に沿う底板２１と、底板２１の左右の短辺から立ち上げられ、基板部１０の左右立壁１２の内側に位置する左右立壁２２と、前後の長辺から立ち上げた前後立壁２３を有している。底板２１には、多数の貫通孔２４が形成されている。左右立壁２２の上端部には、左右立壁１２の直角曲折縁１２ａを内側から外側に包み込む折返曲折部２２ａが形成されている。底板１１に設けた切欠１４と、引出棚２０の底板２１に設けた多数の貫通孔２４は、引出式補助陳列棚１００の軽量化に役立つ。
【００１３】
基板部１０の左右立壁１２の内面には、前後方向に向けてスライドレール３０の固定側レール３１が固定され、引出棚２０の左右立壁２２の外面には、スライドレール３０の可動側レール３２が固定されている。図４に示すように、固定側レール３１と可動側レール３２は、その上下に、転動ボール３３を保持する半球状部３１ａ、３２ａを有しており、転動ボール３３は、リテーナ３３ｒによって保持されている。このようなスライドレール３０は周知であり（市販されており）、固定側レール３１と可動側レール３２（基板部１０と引出棚２０）は着脱可能である。スライドレール３０によって、基板部１０と引出棚２０を組み立てた状態では、可動棚２０の左右立壁２２の上端部の折返曲折部２２ａが、基板部１０の左右立壁１２の曲折縁１２ａを包み込む。また、基板部１０の底板１１と可動棚２０の底板２１との間には、隙間ｃ（図４）が形成される。基板部１０の左右立壁１２と引出棚２０の左右立壁２２の間に、スライドレール３０を設けると、引出式補助陳列棚１００の高さを抑える（低背化を図る）ことができる。
【００１４】
上記構成の本引出式補助陳列棚１００は、典型的には、図１、図３に示すように、固定陳列什器（固定陳列棚）Ｆの最下段の鉄板製の固定棚Ｓに載置して用いる。すなわち、基板部１０の奥部立壁１３を固定陳列什器Ｆの奥の立壁Ｖに平行にして固定棚Ｓ上に載置すると、基板部１０は、ゴムマグネット１５によって、固定棚Ｓ上に固定される（図３（Ａ））。この状態において、引出棚２０を前方に引くと、スライドレール３０によって基板部１１にスライド自在に案内されている該引出棚２０を円滑に引き出すことができる。この引出状態において、引出棚２０の左右立壁２２及び前後立壁２３で囲まれた底板２１上を商品陳列スペースとして用いることができる（図１、図３（Ｂ））。図１及び図３では、陳列商品Ｐとして袋タイプ商品を例示している。
【００１５】
引出棚２０を引き出した結果、空間となる基板部１０の底板１１上に、補充商品を置く使用態様も可能である。底板１１上に補充商品を置くと、補充商品の重さで、本引出式補助陳列棚１００を安定状態で支持できるという利点が期待できる。
【００１６】
本実施形態の引出式補助陳列棚１００の最大の利点は、必要なときに、必要な商品を、任意の高さの固定棚Ｓ上に載置して使用できる点にある。特定使用期間（例えばキャンペーン期間）が終了すれば、当該商品及び引出式補助陳列棚１００を撤去して、固定棚Ｓ上に通常の商品を載置陳列することができる。このような使用態様は、本引出式補助陳列棚１００によって初めて可能となり、既存の固定式陳列棚全体を可動式陳列棚に置き換えるような費用をかける必要がない。
【００１７】
以上の実施形態では、基板部１０と引出棚２０との間にスライドレール３０を設置しているが、スライドレールは省略することも可能である。スライドレール３０を用いるとしても、底板１１と２１の間に設置する態様も可能であり、スライド可能とする態様には自由度がある。
【産業上の利用可能性】
【００１８】
本発明の商品陳列什器の引出式補助陳列台は、既存の固定式商品陳列什器に、付加的に（任意に）使用することができるので、任意の商品を任意の期間だけ任意の高さ位置の固定棚に陳列することができる。特定の商品のキャンペーン中に使用するのは利用例の一つである。商品陳列棚什器全体を交換する必要がないので、安価である。
【符号の説明】
【００１９】
１００  引出式補助陳列棚
１０  基板部
１１  底板
１２  左右立壁
１３  奥部立壁
１４  切欠
１５  ゴムマグネット（シート状マグネット）
２０  引出棚
２１  底板
２２  左右立壁
２３  前後立壁
２４  貫通孔
３０  スライドレール
３１  固定側レール
３２  可動側レール
３３  転動ボール
Ｆ  固定陳列什器
Ｖ  立壁
Ｓ  固定棚
Ｐ  陳列商品
【図１】
2011007724.tif 000003
【図２】
2011007724.tif 000004
【図３】
2011007724.tif 000005
【図４】
2011007724.tif 000006
【国際調査報告】
2011007724.tif 000007
2011007724.tif 000008